(57)【特許請求の範囲】
【請求項１】
複数の導体要素で構成されるアンテナを備え、複数の上記導体要素の間の導通と非導通とを上記導体要素の間に設けられたスイッチング素子によって切り換えることによって、上記アンテナの位置および形状の少なくとも一方が変化する情報処理装置であって、
第１の無線品質と、第２の無線品質とを比較し、どちらが高いかを判定する無線品質判定部と、
上記第２の無線品質が、上記第１の無線品質よりも高いと上記無線品質判定部が判定した場合、上記アンテナを上記第２の無線品質を示す様態にするアンテナ様態変更部と、
上記導体要素に重畳して設けられたタッチセンサと、を備え、
上記第１の無線品質は、上記アンテナが現在の第１の様態を有する場合における無線品質であり、上記第２の無線品質は、上記アンテナが現在の第１の様態から変更した後の第２の様態を有する場合における無線品質であり、
上記アンテナ様態変更部は、上記タッチセンサが検知したタッチの位置から離れた位置に上記第２の様態の上記アンテナの位置を決定する
ことを特徴とする情報処理装置。
【請求項２】
上記アンテナの上記導体要素が透明である
ことを特徴とする請求項１に記載の情報処理装置。
【請求項３】
上記第２の様態は、上記第１の様態を有するアンテナの少なくとも一部を所定の方向に所定の距離移動した様態である
ことを特徴とする請求項１または２に記載の情報処理装置。
【請求項４】
上記第２の無線品質を示す様態は、上記アンテナが取り得る様態に関する情報を含む様態情報を参照して、上記アンテナが取り得る様態の中から選択された様態である
ことを特徴とする請求項１〜３のいずれか１項に記載の情報処理装置。
【発明の詳細な説明】
【技術分野】
【０００１】
本発明は、情報処理装置に関し、例えば、無線通信用のアンテナを備えた情報処理装置に関する。
【背景技術】
【０００２】
無線通信機能を有する情報処理装置は、アンテナを用いて、無線信号を送受信する。情報処理装置が備えたアンテナの無線品質（受信信号レベル、送信信号レベル）は、様々な原因によって低下し得る。
【０００３】
例えば、アンテナは、ユーザが画面を視認することを妨害しないよう、情報処理装置の額縁内に配置される場合が多い。しかしながら、情報処理装置の額縁は、当該情報処理装置を持つユーザの手によって覆われる場合がある。この場合、アンテナの無線品質が悪化する可能性がある。
【０００４】
そこで、複数のアンテナを備え、無線品質がより高いアンテナを用いて、無線通信を行う情報処理装置が開発されている。例えば、特許文献１に記載の携帯型情報端末（情報処理装置）は、当該携帯型情報端末における情報の表示方向に応じて、無線通信のために使用するアンテナを切り替える。
【先行技術文献】
【特許文献】
【０００５】
【特許文献１】特開２００５−３０３８５６号公報（２００５年１０月２７日公開）
【特許文献２】特許第３６６４７２１号公報（２００３年６月１２日公開）
【特許文献３】特許第４８１４２２３号公報（２００６年１０月１２日公開）
【発明の概要】
【発明が解決しようとする課題】
【０００６】
しかしながら、複数のアンテナを備えた情報処理装置は、１本のアンテナを備えた情報処理装置と比較して、アンテナと接続される回路の構成が複雑であり、また、回路基板上において、上記回路が大きな領域を占有するという問題がある。
【０００７】
また、情報処理装置が複数のアンテナを備えていた場合であっても、全てのアンテナの無線品質が同時に低下する可能性がある。例えば、情報処理装置を持つユーザの手が、全てのアンテナを覆った場合、全てのアンテナの無線品質が同時に低下する。このような場合、使用されるアンテナが切り替えられたとしても、アンテナの無線品質は十分に改善しない。
【０００８】
本発明は上記の課題に鑑みてなされたものであり、その目的は、簡素な構成でアンテナの無線品質を改善することができる情報処理装置を提供することにある。
【課題を解決するための手段】
【０００９】
上記の課題を解決するために、本発明の一態様に係る情報処理装置は、複数の導体要素で構成されるアンテナを備え、複数の上記導体要素の間の導通と非導通とを上記導体要素の間に設けられたスイッチング素子によって切り換えることによって、上記アンテナの位置および形状の少なくとも一方が変化する情報処理装置であって、第１の無線品質と、第２の無線品質とを比較し、どちらが高いかを判定する無線品質判定部と、上記第２の無線品質が、上記第１の無線品質よりも高いと上記無線品質判定部が判定した場合、上記アンテナを上記第２の無線品質を示す様態にするアンテナ様態変更部と、を備えている。
【発明の効果】
【００１０】
本発明の一態様によれば、簡素な構成で、アンテナの通信性能を、基準となる無線品質よりも高くすることができるという効果を奏する。
【図面の簡単な説明】
【００１１】
【図１】実施形態１に係る携帯型情報端末の構成を示すブロック図である。
【図２】実施形態１に係る携帯型情報端末が備えたアンテナパターン部の構成を示す概略図である。
【図３】実施形態１に係る携帯型情報端末の側面がタッチされた位置と、上記携帯型情報端末が備えたアンテナパターン部内におけるアンテナの位置の変化との関係を示す図である。
【図４】（ａ）（ｂ）は、実施形態１に係る携帯型情報端末が備えたアンテナパターン内におけるアンテナの位置または形状の変化を示す図である。
【図５】実施形態１に係る携帯型情報端末が備えた制御部によって実行されるアンテナ様態変更処理の流れを示すフローチャートである。
【図６】実施形態２に係るアンテナ様態変更処理の流れを示すフローチャートである。
【図７】（ａ）（ｂ）は、実施形態２に係るアンテナ様態変更処理によるアンテナの位置の変化の例を示す図である。
【図８】実施形態３に係る携帯型情報端末の記憶部に記憶されたルックアップテーブルの一例を示す図である。
【発明を実施するための形態】
【００１２】
〔実施形態１〕
以下、本発明の実施の形態について、図１〜図５を用いて詳細に説明する。
【００１３】
（携帯型情報端末１の構成）
図１を用いて、本実施形態に係る携帯型情報端末１（情報処理装置）（以下では、端末１と略称する）の構成を説明する。図１は、端末１の構成を示すブロック図である。端末１は、アンテナＡＮＴ（図２および図３参照）を用いて、外部の装置等と無線通信を行うことができる。図１に示すように、端末１は、アンテナパターン部１０、制御部２０、電源部３０、記憶部４０、タッチセンサ５０、および無線通信部６０を備えている。
【００１４】
電源部３０は、端末１の各部（少なくとも、アンテナパターン部１０、制御部２０、記憶部４０、タッチセンサ５０、および無線通信部６０）に電力を供給する。
【００１５】
記憶部４０には、制御部２０の無線品質計算部２１によって計算される無線品質（後述）に関する情報が、無線品質情報として記憶される。
【００１６】
タッチセンサ５０は、アンテナパターン部１０（あるいはアンテナＡＮＴ）が配置される面にアンテナパターン部１０（あるいはアンテナＡＮＴ）に略重ねて配置される（図３参照）。
【００１７】
無線通信部６０は、アンテナパターン部１０（あるいはアンテナＡＮＴ）を用いて、外部の無線通信装置と通信を行う。
【００１８】
アンテナパターン部１０および制御部２０については、以下に説明する。
【００１９】
（アンテナパターン部１０）
図２は、アンテナパターン部１０の構成を示す概略図である。図２に示すように、アンテナパターン部１０は、複数の導電体素子１１（導体要素）および複数のスイッチング素子１２で構成されている。アンテナパターン部１０内において、複数の導電体素子１１は、正方格子状に配置されている。隣接する導電体素子１１の間には、それぞれ、スイッチング素子１２が配置されている。スイッチング素子１２は、隣接する導電体素子１１の導通・非導通を切り替えるように動作する。スイッチング素子１２の動作は、制御部２０によって制御される。このようなアンテナパターン部１０の構成として、例えば、特許文献２に記載されたアンテナの構成を適用することができる。なお、導電体素子１１は、正方格子状以外のパターン（例えば、三角格子、矩形格子、六角格子）で配列されていてもよい。
【００２０】
アンテナパターン部１０は、端末１の側面上に配置されている（図３参照）。しかしながら、アンテナパターン部１０は、画面（または額縁）上に配置されてもよいし、背面に配置されていてもよい。
【００２１】
導電体素子１１を構成する導電体は、金属であってもよいし、インジウムスズ酸化物（ＩＴＯ；Indium Tin Oxide）であってもよい。後者の構成では、導電体素子１１が透明であるので、アンテナパターン部１０もほぼ透明になる。そのため、アンテナパターン部１０が端末１の画面上に配置された場合であっても、ユーザは、アンテナパターン部１０に妨害されずに、画面に表示された映像等を視認することができる。従って、後者の構成では、アンテナパターン部１０は、端末１のどこに配置されてもよい。なお、アンテナパターン部１０を画面上に配置する方法として、例えば、特許文献３に記載された方法を適用することができる。
【００２２】
図２では、導電体素子１１は正方形であるが、他の形状（例えば、三角形、長方形）を有していてもよい。また、アンテナパターン部１０に含まれる全ての導電体素子１１が同じ形状を有している必要はない。例えば、一部の導電体素子１１は正方形を有している一方、残りの導電体素子１１は長方形を有していてもよい。さらに、アンテナパターン部１０内において、導電体素子１１は、正方格子状ではなく、矩形格子状、三角格子状、または六角格子状に配列されていてもよい。
【００２３】
スイッチング素子１２は、スイッチングトランジスタ、表面ＰＩＮ（ＳＰＩＮ；Surface PIN）デバイス、またはＲＦ−ＭＥＭＳ（Radio Frequency−Micro Electro Mechanical System）トランジスタであってよい。
【００２４】
図２に示すように、アンテナパターン部１０内では、スイッチング素子１２を介して、複数の導電体素子１１が導通されることによって、アンテナＡＮＴが形成されている。孤立した導電体素子１１、すなわち、隣接する導電体素子１１と導通されていない導電体素子１１は、アンテナＡＮＴを形成しない。アンテナＡＮＴの様態（位置および形状）は、どの複数の導電体素子１１が導通されているかによって決定する。
【００２５】
アンテナＡＮＴは、外部の装置から送信された無線信号を受信する。また、アンテナＡＮＴは、無線通信部６０から信号出力を供給されることによって、無線信号を送信する。      
【００２６】
（制御部２０）
図１に示すように、制御部２０は、無線品質計算部２１、無線品質比較部２２（無線品質判定部）、アンテナ様態決定部２３、およびアンテナ制御部２４（アンテナ様態変更部）を含んでいる。制御部２０は、後述するアンテナ様態変更処理αを実行する。
【００２７】
無線品質計算部２１は、無線通信部６０から、無線信号の受信信号レベルおよび送信信号レベルを示す情報を取得する。そして、無線品質計算部２１は、受信信号レベルから、アンテナＡＮＴの受信品質を、送信信号レベルから、アンテナＡＮＴの送信品質を、それぞれ計算する。そして、受信品質を示す情報および送信品質を示す情報を用いて、アンテナ（ＡＮＴ）の無線品質を計算する。無線品質計算部２１は、計算した無線品質を示す情報（無線品質情報）を、無線品質比較部２２に出力するとともに、記憶部４０の所定の記憶領域に格納する。ここで、無線品質は、受信信号の強度であってよい。また、受信信号レベル（あるいは受信信号強度）および送信信号レベル（あるいは送信信号強度）が高くなるほど、アンテナ（ＡＮＴ）の無線品質も高くなるように、無線品質の計算式が定義されていてもよい。
【００２８】
無線品質比較部２２は、無線品質計算部２１から入力された無線品質情報を用いて、無線品質が低下（劣化）してきていないか否かを判定する。より詳細には、無線品質比較部２２は、無線品質計算部２１によって計算された無線品質が、先に計算された無線品質（基準値）よりも低いか否かを判定する。無線品質比較部２２は、無線品質が低下していないか否かを示す判定結果を、アンテナ様態決定部２３に出力する。
【００２９】
アンテナ様態決定部２３は、無線品質比較部２２から、無線品質が低下しているという判定結果を入力された場合、アンテナＡＮＴの様態（位置および形状）を、第１の様態から第２の様態に変更することを決定する。このとき、アンテナ様態決定部２３は、アンテナＡＮＴの様態を、アルゴリズムに従って変更することを決定してもよい（実施形態２）し、予め定められた他の様態に変更することを決定してもよい（実施形態３）。あるいは、タッチセンサ５０において、タッチが検出されているときに、無線品質が低下している場合、アンテナ様態決定部２３は、タッチが検出された位置に基づいて、アンテナＡＮＴの位置（および形状）を変更することを決定してもよい。本実施形態では、最後の構成を説明する。
【００３０】
アンテナ制御部２４は、アンテナＡＮＴの現在の第１の様態を、アンテナ様態決定部２３から通知された第２の様態に変更する。具体的には、アンテナ制御部２４は、スイッチング素子１２を制御することによって、複数の導電体素子１１の間の導通・非導通を切り替える。これにより、導通されている導電体素子１１の組み合わせが変化するので、導通されている導電体素子１１によって形成されるアンテナＡＮＴの様態も変化する。
【００３１】
図３および図４の（ａ）（ｂ）を用いて、アンテナ制御部２４がアンテナＡＮＴの位置を変更する一例を説明する。図３は、ユーザＵが端末１にタッチした位置と、アンテナＡＮＴの位置の変化との関係を示す図である。また、図４の（ａ）（ｂ）は、それぞれ、アンテナパターン部１０内におけるアンテナＡＮＴの位置（および形状）の変化を示す図である。
【００３２】
図３に示すように、最初、アンテナＡＮＴは、ユーザの指Ｕが端末１にタッチした位置の近傍に存在していたとする。指ＵがアンテナＡＮＴの一部に重なっているので、アンテナＡＮＴは、無線信号を効率的に送受信することができない。そのため、アンテナＡＮＴの無線品質は、ユーザの指Ｕが端末１にタッチしていない場合（または指ＵがアンテナＡＮＴに重なっていない場合）における無線品質よりも低下している可能性がある。
【００３３】
無線品質が低下している場合、アンテナ様態決定部２３は、まず、タッチセンサ５０から、タッチが検出された位置を示す情報（タッチ位置情報）を取得する。次に、アンテナ様態決定部２３は、アンテナパターン部１０内において、タッチが検出された位置から離れた位置（例えば、図３では、アンテナパターン部１０内における下側の位置）を選択する。
【００３４】
図４の（ａ）に示すように、アンテナ制御部２４は、アンテナパターン部１０が備えた複数の導電体素子１１の導通・非導通を切り替える。これにより、図３に示すように、アンテナＡＮＴは、指Ｕから離れた位置（すなわち、アンテナ様態決定部２３によって選択された位置）に移動する。
【００３５】
図４の（ａ）では、アンテナＡＮＴの位置のみが変更されている。しかしながら、アンテナ制御部２４は、アンテナＡＮＴの位置および形状の少なくとも一方を変更すればよい。
【００３６】
図４の（ｂ）では、アンテナＡＮＴの形状が変化するように、導電体素子１１の導通・非導通が切り替えられている。アンテナＡＮＴの指向性、利得性、およびインピーダンス整合性などは、アンテナＡＮＴの形状に依存する。そのため、アンテナＡＮＴの形状が変更されることによって、アンテナＡＮＴの無線品質が改善する可能性がある。
【００３７】
なお、後述するアンテナ様態変更処理αにおいて、アンテナ制御部２４が、アンテナＡＮＴの位置（および形状）を変更した後、無線品質比較部２２は、無線品質計算部２１から、無線品質情報を再び取得する。そして、様態の変更後のアンテナＡＮＴの無線品質が、様態の変更前のアンテナＡＮＴの無線品質を超えている場合、アンテナ様態決定部２３は、様態の変更後のアンテナＡＮＴの位置（および形状）を維持することを決定する。一方、様態の変更後のアンテナＡＮＴの無線品質が、様態の変更前のアンテナＡＮＴの無線品質を超えていない場合、アンテナ様態決定部２３は、様態の変更後のアンテナＡＮＴの位置（および形状）を、様態の変更前のアンテナＡＮＴの位置（および形状）に戻すことを決定する。
【００３８】
（アンテナ様態変更処理αの流れ）
図５を用いて、制御部２０によって実行されるアンテナ様態変更処理αの流れを説明する。図５は、アンテナ様態変更処理αの流れを示すフローチャートである。アンテナ様態変更処理αは、例えば、端末１が電話の着信を受けたときに開始される。なお、以下では、アンテナＡＮＴの位置ａが位置ｃに変更される流れを説明するが、同じ流れにおいて、アンテナＡＮＴの位置および形状の少なくとも一方が変更されてもよい。
【００３９】
図５に示すように、アンテナ様態変更処理αでは、まず、無線品質計算部２１が、位置ａにあるアンテナＡＮＴの無線品質を計算する（Ｓ１０１）。Ｓ１０１における無線品質の計算結果を、以下では、無線品質Ａと呼ぶ。
【００４０】
無線品質計算部２１は、無線品質Ａが得られてから所定時間が経過した後、位置ａにあるアンテナＡＮＴの無線品質を再び測定する（Ｓ１０２）。Ｓ１０２における無線品質の計算結果を、以下では、無線品質Ｂと呼ぶ。
【００４１】
次に、無線品質比較部２２は、アンテナＡＮＴの無線品質が低下しているか否か（すなわち、無線品質Ｂは無線品質Ａよりも低いか否か）を判定する（Ｓ１０３）。
【００４２】
アンテナＡＮＴの無線品質が低下していない場合（Ｓ１０３でＮｏ）、アンテナ様態決定部２３は、アンテナＡＮＴの位置ａを変更しないことを決定し（Ｓ１０９）、アンテナ様態変更処理αはＳ１０１に戻る。
【００４３】
一方、アンテナＡＮＴの無線品質が低下している場合（Ｓ１０３でＹｅｓ）、アンテナ様態決定部２３は、タッチセンサ５０から、タッチ位置情報を取得する（Ｓ１０４）。そして、アンテナ様態決定部２３は、取得したタッチ位置情報に基づいて、アンテナＡＮＴの位置ａを、どのような位置に変更するかを決定する。例えば、アンテナ様態決定部２３は、タッチが検出された位置とアンテナＡＮＴとが重ならないように、アンテナＡＮＴの変更後の位置ｃを決定してもよい。
【００４４】
次に、アンテナ制御部２４は、アンテナＡＮＴの位置ａを、他の位置ｃに変更する（Ｓ１０５）。その後、無線品質計算部２１は、アンテナＡＮＴの無線品質を測定する（Ｓ１０６）。Ｓ１０６における無線品質の計算結果を、以下では、無線品質Ｃと呼ぶ。
【００４５】
その後、無線品質比較部２２は、変更後の位置ｃにあるアンテナＡＮＴの無線品質Ｃが、変更前の位置ａにあるアンテナＡＮＴの無線品質Ｂを超えるか否かを判定する（Ｓ１０７）。
【００４６】
無線品質Ｃが無線品質Ｂを超える場合（Ｓ１０７でＹｅｓ）、アンテナ様態決定部２３は、アンテナＡＮＴの位置ｃを維持することを決定する（Ｓ１０８）。そして、アンテナ様態変更処理αは、Ｓ１０１に戻る。
【００４７】
一方、無線品質Ｃが無線品質Ｂを超えない場合（Ｓ１０７でＮｏ）、アンテナ制御部２４は、アンテナＡＮＴの位置ｃを位置ａに戻す（Ｓ１０９）。そして、アンテナ様態変更処理αは、Ｓ１０１に戻る。
【００４８】
なお、位置ｃとは異なる位置ｃ´であって、その位置ｃ´にあるアンテナＡＮＴの無線品質が、位置ａにあるアンテナＡＮＴの無線品質Ｂを超える可能性がある１つまたは複数の位置ｃ´についても、Ｓ１０５〜Ｓ１０７の処理を行ってよい。この構成では、ある位置ｃ´にあるアンテナＡＮＴの無線品質Ｃが無線品質Ｂを超える場合（Ｓ１０７でＹｅｓ）、アンテナ様態決定部２３は、その位置ｃ´を維持することを決定する（Ｓ１０８）。
【００４９】
〔実施形態２〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００５０】
前記実施形態１で説明したアンテナ様態変更処理αでは、アンテナ制御部２４は、タッチが検出された位置に基づいて、アンテナＡＮＴの位置（または形状）を変更した。本実施形態で説明するアンテナ様態変更処理βでは、アンテナ制御部２４は、アンテナＡＮＴの様態を、アルゴリズムに従って変更する。
【００５１】
上記アルゴリズムは、アンテナＡＮＴの位置および形状の少なくとも一方を変更するものであればよい。上記アルゴリズムは、例えば、図４の（ａ）に示すように、導通しているスイッチング素子１２の位置を、所定の方向に所定の距離だけ移動させるものであってよい。
【００５２】
本実施形態の構成によれば、アンテナ制御部２４は、タッチ位置情報によらずに、アンテナＡＮＴの様態を変更する。本実施形態の構成は、アンテナＡＮＴの無線品質が低下した原因が、端末１にタッチしている指Ｕではない場合に有効である。しかしながら、後述する変形例で説明するように、アルゴリズムとともに、タッチ位置情報も用いて、アンテナＡＮＴの様態を変更してもよい。
【００５３】
（アンテナ様態変更処理βの流れ）
図６および図７の（ａ）（ｂ）を用いて、制御部２０によって実行されるアンテナ様態変更処理βの流れを説明する。図６は、アンテナ様態変更処理βの流れを示すフローチャートである。また、図７の（ａ）（ｂ）は、アンテナパターン部１０内におけるアンテナＡＮＴの様態の変化を示す他の図である。
【００５４】
アンテナ様態変更処理βのＳ１０１〜Ｓ１０３は、アンテナ様態変更処理αのＳ１０１〜Ｓ１０３と同じである。そのため、以下では、アンテナ様態変更処理βのＳ１０３以降について、説明する。
【００５５】
アンテナ様態変更処理βのＳ１０３において、アンテナＡＮＴの無線品質が低下していない場合（Ｓ１０３でＮｏ）、アンテナ様態決定部２３は、アンテナＡＮＴの様態ａを変更しないことを決定し（Ｓ２１０）、アンテナ様態変更処理βはＳ１０１に戻る。
【００５６】
一方、アンテナ様態変更処理βのＳ１０３において、アンテナＡＮＴの無線品質が低下している場合（Ｓ１０３でＹｅｓ）、アンテナ制御部２４は、アンテナＡＮＴの様態ａを、他の様態に変更する（Ｓ２０４）。
【００５７】
その後、無線品質計算部２１は、アンテナＡＮＴの無線品質を測定する（Ｓ２０５）。      
【００５８】
ここで、Ｓ２０５では、様態ａとは異なる様態を有する１つのアンテナＡＮＴについて、無線品質が測定されてもよいし、様態ａとは異なる様態を有する複数のアンテナＡＮＴについて、無線品質がそれぞれ測定されてもよい。
【００５９】
本実施形態では、図７の（ａ）（ｂ）に示すように、現在のアンテナＡＮＴの様態ａとは異なる様態ｃ１、ｃ２を有する２つのアンテナＡＮＴについて、無線品質が測定されるとする。この場合、縦方向に伸びるアンテナＡＮＴの部分を、図面の横方向（左右）に移動させるアルゴリズムに従って、アンテナＡＮＴは、図２に示す様態ａから、図７の（ａ）（ｂ）に示す様態ｃ１、ｃ２に変更される。まず、アンテナＡＮＴの様態ａは、図７の（ａ）に示す様態ｃ１に変更されて（Ｓ２０４）、様態ｃ１を有するアンテナＡＮＴの無線品質が測定される（Ｓ２０５）。その後、アンテナＡＮＴの様態ｃ１は、図７の（ｂ）に示す様態ｃ２に変更されて（Ｓ２０４）、様態ｃ２を有するアンテナＡＮＴの無線品質が測定される（Ｓ２０５）。以下では、様態ｃ１を有するアンテナＡＮＴの無線品質の測定結果を無線品質Ｃ１と呼び、様態ｃ２を有するアンテナＡＮＴの無線品質の測定結果を無線品質Ｃ２と呼ぶ。ここで、図７の（ａ）（ｂ）から分かるように、アンテナＡＮＴは、様態ｃ１を有する場合よりも、様態ｃ２を有する場合の方が、アンテナＡＮＴとユーザＵとが重なる領域が小さい。そのため、無線品質Ｃ２は、無線品質Ｃ１よりも高い可能性が高い。
【００６０】
続いて、無線品質比較部２２は、変更後の様態ｃ１を有するアンテナＡＮＴの無線品質Ｃ１が、変更前の様態ａを有するアンテナＡＮＴの無線品質Ｂを超えるか否かを判定する（Ｓ２０６）。無線品質Ｃ１が無線品質Ｂを超える場合（Ｓ２０６でＹｅｓ）、アンテナ制御部２４は、アンテナＡＮＴの様態ａを様態ｃ１に変更する（Ｓ２０７）。そして、アンテナ様態変更処理βは、Ｓ１０１に戻る。
【００６１】
一方、無線品質Ｃ１が無線品質Ｂを超えない場合（Ｓ２０６でＮｏ）、無線品質比較部２２は、変更後の様態ｃ２を有するアンテナＡＮＴの無線品質Ｃ２が、変更前の様態ａを有するアンテナＡＮＴの無線品質Ｂを超えるか否かを判定する（Ｓ２０８）。
【００６２】
無線品質Ｃ２が無線品質Ｂを超える場合（Ｓ２０８でＹｅｓ）、アンテナ制御部２４は、アンテナＡＮＴの様態ａを様態ｃ２に変更する（Ｓ２０９）。そして、アンテナ様態変更処理βは、Ｓ１０１に戻る。
【００６３】
一方、無線品質Ｃ２が無線品質Ｂを超えない場合（Ｓ２０８でＮｏ）、アンテナ様態決定部２３は、アンテナＡＮＴの様態ａを維持することを決定する（Ｓ２１０）。そして、アンテナ様態変更処理βは、Ｓ１０１に戻る。
【００６４】
（変形例）
本実施形態では、アンテナ様態変更処理βのＳ２０４〜Ｓ２０６において、アルゴリズムに従って決定された様態ｃ１、ｃ２を有するアンテナＡＮＴの無線品質Ｃ１、Ｃ２が、現在のアンテナＡＮＴの無線品質Ｂと比較される構成を説明した。
【００６５】
本変形例では、アルゴリズムに従って決定された様態にあるアンテナＡＮＴの位置が、タッチが検出された位置（タッチ位置）と重なる場合、アンテナＡＮＴの現在の様態は、アルゴリズムに従って決定された様態に変更されなくてもよい。換言すれば、本変形例に係るアンテナ様態変更処理βにおいて、アンテナＡＮＴは、アルゴリズムに従って決定された様態のうち、その様態にあるアンテナＡＮＴの位置が、タッチ位置とは離れるような様態にのみ、変更される。
【００６６】
本変形例では、前述したアンテナ様態変更処理βのＳ２０４の前に、アンテナ様態決定部２３が、タッチセンサ５０から、タッチ位置情報（タッチが検出された位置を示す情報）を取得する。そして、アンテナ様態決定部２３は、アルゴリズムに従って決定された様態の位置にあるアンテナＡＮＴと、タッチが検出された位置とが重ならないか否かを判定する。
【００６７】
そして、アルゴリズムに従って決定された様態の位置にあるアンテナＡＮＴと、タッチが検出された位置とが重ならない場合、アンテナ制御部２４は、アンテナＡＮＴの様態ａを、アルゴリズムに従って決定された様態に変更する（Ｓ２０４）。その後、前述したアンテナ様態変更処理βのＳ２０５以降の処理が実行される。
【００６８】
一方、アルゴリズムに従って決定された様態を有するアンテナＡＮＴの位置と、タッチが検出された位置とが重なる場合、アンテナ様態変更処理βのＳ２０４以降の処理が実行されない。従って、アンテナ制御部２４は、アンテナＡＮＴの様態ａを、アルゴリズムに従って決定された様態に変更することはない。
【００６９】
あるいは、アルゴリズムに従って決定された様態を有するアンテナＡＮＴの位置と、タッチが検出された位置とが重なる場合、アンテナ様態変更処理βのＳ２０４以降の処理の代わりに、アンテナ様態変更処理αのＳ１０５以降と同じ処理が実行されてもよい。
【００７０】
〔実施形態３〕
本発明の他の実施形態について、図８を用いて説明すれば、以下のとおりである。なお、説明の便宜上、前記実施形態にて説明した部材と同じ機能を有する部材については、同じ符号を付記し、その説明を省略する。
【００７１】
前記実施形態２では、アンテナ様態変更処理βにおいて、アンテナＡＮＴの様態が、アルゴリズムに従って変更された。本実施形態では、アンテナＡＮＴの様態（位置および形状）が、予め定められた様態（位置および形状）に変更される。
【００７２】
本実施形態では、図１に示す記憶部４０に、アンテナＡＮＴの様態（位置および形状）を記載されたルックアップテーブル（様態情報）（図示せず）が予め記憶されている。ルックアップテーブルには、１つまたは複数通りの様態（例えば、様態ｃ１および様態ｃ２）を規定するデータが含まれている。
【００７３】
ルックアップテーブルにおいて、様態の変更前のアンテナＡＮＴの様態ａに関する情報と、様態の変更後のアンテナＡＮＴの様態ｃ３〜ｃ５に関する情報とが関連付けられていてもよい。この構成では、アンテナ様態決定部２３は、ルックアップテーブルにおいてアンテナの様態ａと関連付けられている様態ｃ３〜ｃ５（図８参照）の中から、いずれかの様態を選択する。
【００７４】
あるいは、ルックアップテーブルにおいて、端末１の（現在の）無線通信の方法と、その方法に適したアンテナＡＮＴの様態に関する情報とが関連付けられていてもよい。この構成では、アンテナ様態決定部２３は、端末１の無線通信方法（例えば、無線信号の周波数、端末１の通信方式）に応じて、アンテナＡＮＴの様態ｃを選択する。
【００７５】
図８に示すルックアップテーブルでは、無線信号の周波数および端末１の通信方式と、該周波数および該通信方式に適したアンテナＡＮＴの様態ｃ３〜ｃ５に関する情報とが関連付けられている。アンテナＡＮＴの無線品質は、無線信号の周波数や端末１の通信方式から大きな影響を受ける。そのため、アンテナ様態決定部２３は、無線信号の周波数や端末１の通信方式に応じて、アンテナＡＮＴの無線品質ができるだけよくなるように、様態ｃ３〜ｃ５の中から、適切な１つの様態を選択する。例えば、端末１の通信方式が「Ｄ」である場合、アンテナ様態決定部２３は、図８の一番上に記載されたアンテナＡＮＴの様態ｃ３を選択する。
【００７６】
本実施形態に係るアンテナ様態変更処理βでは、Ｓ２０４において、アンテナ様態決定部２３は、記憶部４０から、ルックアップテーブルを参照する。そして、参照したルックアップテーブルに記載された様態の中から、アンテナＡＮＴの様態ａとは異なる様態を選択する。ここで、アンテナ様態決定部２３は、アンテナＡＮＴの様態ａを、ルックアップテーブルにおいて様態ａと関連付けられた様態に変更することを決定してもよい。アンテナ制御部２４は、アンテナの様態ａを、アンテナ様態決定部２３によって決定された様態に変更する。
【００７７】
その後、Ｓ２０５において、様態の変更後のアンテナＡＮＴの無線品質が再測定される。ここで、ルックアップテーブルに、複数通りの様態を規定するデータが含まれている場合、Ｓ２０５では、それらの複数通りの様態を有するアンテナＡＮＴについて、無線品質が測定される。本実施形態に係るアンテナ様態変更処理βのＳ２０６以降の流れは、前記実施形態２で説明したとおりであるから、本実施形態では説明を省略する。
【００７８】
（変形例）
本実施形態の一変形例では、前記実施形態２の変形例と同様に、アンテナＡＮＴは、アルゴリズムに従って決定された様態のうち、その様態にあるアンテナＡＮＴの位置が、タッチ位置とは離れるような様態にのみ、変更されてもよい。
【００７９】
本変形例に係るアンテナ様態変更処理βでは、ルックアップテーブルに基づいて決定された様態を有するアンテナＡＮＴの位置と、タッチ位置とが重なる場合、Ｓ２０４以降の処理が実行されない。従って、アンテナＡＮＴの位置は、タッチ位置と重なるような位置に変更されることはない。
【００８０】
あるいは、ルックアップテーブルに基づいて決定された様態を有するアンテナＡＮＴの位置と、タッチ位置とが重なる場合、アンテナ様態変更処理βのＳ２０４以降の処理の代わりに、アンテナ様態変更処理αのＳ１０５以降と同等の処理が実行されてもよい。
【００８１】
なお、本変形例では、様態ｃ１（図７の（ａ）参照）を有するアンテナの無線品質Ｃ１が無線品質Ｂを超える場合、様態ｃ２（図７の（ｂ）参照）を有するアンテナの無線品質Ｃ２が無線品質Ｂを超えるか否かに関わらず、アンテナ様態決定部２３は、アンテナＡＮＴの様態ａを様態ｃ１に変更することを直ちに決定する。あるいは、アンテナ様態決定部２３は、様態ｃ１を有するアンテナＡＮＴの無線品質Ｃ１と、様態ｃ２を有するアンテナＡＮＴの無線品質Ｃ２と比較して、どちらの無線品質のほうが良いかを判定し、アンテナＡＮＴの無線品質がより向上するように、様態ｃ１および様態ｃ２のどちらかを選択してもよい。アンテナ様態決定部２３が様態ｃ１および様態ｃ２のいずれか一方を選択した後、アンテナ制御部２４は、アンテナの様態ａを、アンテナ様態決定部２３によって選択された様態ｃ１または様態ｃ２に変更する。
【００８２】
〔ソフトウェアによる実現例〕
携帯型情報端末１の制御部２０は、集積回路（ＩＣチップ）等に形成された論理回路（ハードウェア）によって実現してもよいし、ＣＰＵ（Central Processing Unit）を用いてソフトウェアによって実現してもよい。
【００８３】
後者の場合、携帯型情報端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８４】
なお、上記のアンテナ様態変更処理では、位置ａにあるアンテナＡＮＴの無線品質Ａ得られてから所定時間が経過した後の同じ位置ａにあるアンテナＡＮＴの無線品質である無線品質Ｂ（第１の無線品質）と無線品質Ａとが比較され、その後、無線品質Ｂと無線品質Ｃ（第２の無線品質）とが比較された。しかしながら、本発明はこれに限らず、無線品質Ｂの代わりに所定の基準値（第１の無線品質）を用いて、無線品質の比較を行う構成としてもよい。この場合、所定の基準値と無線品質との比較の結果に基づいて、アンテナＡＮＴの様態が決定されるので、より効率的にアンテナ様態変更処理が行われる場合がある。
【００８５】
〔まとめ〕
本発明の態様１に係る情報処理装置（携帯型情報端末１）は、複数の導体要素（導電体素子１１）で構成されるアンテナ（ＡＮＴ）を備え、複数の上記導体要素の間の導通と非導通とを上記導体要素の間に設けられたスイッチング素子（１２）によって切り換えることによって、上記アンテナの位置および形状の少なくとも一方が変化する情報処理装置であって、第１の無線品質と、第２の無線品質とを比較し、どちらが高いかを判定する無線品質判定部（無線品質比較部２２）と、上記第２の無線品質が、上記第１の無線品質よりも高いと上記無線品質判定部が判定した場合、上記アンテナを上記第２の無線品質を示す様態にするアンテナ様態変更部（アンテナ制御部２４）と、を備えている。
【００８６】
上記の構成によれば、第２の無線品質が第１の無線品質よりも高い場合、アンテナの様態が、第２の無線品質を示す様態に変更される（アンテナの位置および形状の少なくとも一方が変更される）。そのため、アンテナは、少なくとも第１の無線品質より高い無線品質を有するようになる。
【００８７】
本発明の態様２に係る情報処理装置は、上記態様１において、上記第１の無線品質は、上記アンテナが現在の第１の様態を有する場合における無線品質であり、上記第２の無線品質は、上記アンテナが現在の様態から変更した後の第２の様態を有する場合における無線品質であってよい。
【００８８】
上記の構成によれば、現在の様態（第１の様態）とは異なる他の様態（第２の様態）を有するアンテナの無線品質が、現在の無線品質よりも高い場合、アンテナの第１の様態が、第２の様態に変更される。そのため、アンテナの無線品質が、現在よりも改善する。
【００８９】
本発明の態様３に係る情報処理装置は、上記態様１または２において、上記導体要素に重畳して設けられたタッチセンサ（５０）をさらに備え、上記アンテナ様態変更部は、上記タッチセンサが検知したタッチの位置から離れた位置に上記第２の様態の上記アンテナの位置を決定してもよい。
【００９０】
上記の構成によれば、第１の様態を有するアンテナが、ユーザの指など、タッチ操作を行う物体に覆われていた場合であっても、アンテナの様態が第２の様態に変更されることによって、アンテナは、上記物体から離れた位置に移動する。従って、アンテナから送受信される無線信号が、上記物体に妨害されなくなるので、無線品質が改善する可能性がある。
【００９１】
本発明の態様４に係る情報処理装置では、上記態様１〜３のいずれかにおいて、上記アンテナの上記導体要素が透明であってもよい。
【００９２】
上記の構成によれば、導体要素が透明であるので、アンテナが情報処理装置の画面上に配置された場合であっても、ユーザは、アンテナに妨害されずに、画面に表示された映像等を視認することができる。従って、情報処理装置の画面上を含む任意の位置に、アンテナを配置することができる。
【００９３】
本発明の態様５に係る情報処理装置では、上記態様１〜４のいずれかにおいて、上記第２の様態は、上記第１の様態を有するアンテナの少なくとも一部を所定の方向に所定の距離移動した様態であってもよい。
【００９４】
上記の構成によれば、第１の様態に基づいて、第２の様態を容易に決定することができる。
【００９５】
本発明の態様６に係る情報処理装置では、上記態様１〜４のいずれかにおいて、上記第２の無線品質を示す様態は、上記アンテナが取り得る様態に関する情報を含む様態情報を参照して、上記アンテナが取り得る様態の中から選択された様態であってもよい。
【００９６】
上記の構成によれば、様態情報に記載されている様態であれば、どのような様態にも、アンテナの様態を変更することができる。
【００９７】
本発明の各態様に係る情報処理装置は、コンピュータによって実現してもよく、この場合には、コンピュータを上記情報処理装置が備える各部（ソフトウェア要素に限る）として動作させることにより上記情報処理装置をコンピュータにて実現させる情報処理装置の制御プログラム、およびそれを記録したコンピュータ読み取り可能な記録媒体も、本発明の範疇に入る。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９９】
本発明は、情報処理装置に利用することができる。
【符号の説明】
【０１００】
１      携帯型情報端末（情報処理装置）
１１    導電体素子（導体要素）
１２    スイッチング素子
２２    無線品質比較部（無線品質判定部）
２４    アンテナ制御部（アンテナ様態変更部）
５０    タッチセンサ
ＡＮＴ  アンテナ
【図１】
0006444744.tif 000002
【図２】
0006444744.tif 000003
【図３】
0006444744.tif 000004
【図４】
0006444744.tif 000005
【図５】
0006444744.tif 000006
【図６】
0006444744.tif 000007
【図７】
0006444744.tif 000008
【図８】
0006444744.tif 000009